(57)【特許請求の範囲】
【請求項１】
テント設営等に使用される紐の一端を固定する固定部を形成しているベースと、前記ベースに基端を回動可能に連結されるストッパーとからなり、前記紐の任意位置に取り付けられ、該紐の一端を前記固定部に固定することにより、該紐への取付部と紐の一端との間に紐ループ部を形成可能な留め具において、
前記ストッパーは、前記紐の一端を上下面の一方から他方へ挿通する貫通孔を有していると共に、該貫通孔に挿通されて上下面の他方に引き出された紐の一端を更に上下面の他方より一方へ前記基端付近から引き出した状態で、前記ベースに対し回動されることにより、該紐の対応部分を前記基端とベースとの間で挟持して紐へ取付可能にし、
前記ベース及び前記ストッパーは、前記紐の対応部分を前記基端とベースの間に挟持した状態で前記紐に沿って略直線状に配置される、ことを特徴とする紐用留め具。
【請求項２】
前記ベースは、前記紐の一端を上下方向に挿通して抜け止め可能にする取付孔により前記固定部を形成していると共に、前記ストッパーの回動範囲を規制する規制部を有している請求項１に記載の紐用留め具。
【請求項３】
前記ストッパーの基端は紐喰い付き用係止爪を有し、前記ベースは前記基端に対応した略コ形の取付部を有し、該取付部が前記基端をコ形の両壁部に回動可能に枢支すると共に、コ形内の段差底面に前記紐の一端を挿通する通し孔を形成している請求項１又は２に記載の紐用留め具。
【請求項４】
前記ベースの規制部は、前記コ形内の段差底面の一部を利用して片状に形成されていると共に、前記通し孔の手前に位置している請求項２又は３に記載の紐用留め具。
【発明の詳細な説明】
【０００１】
【発明の属する技術分野】
本発明は、例えば、テント設営等に使用されるロープ、帯や紐（以下、これらを紐と称する）の任意位置に取り付けられる留め具に関するものである。
【０００２】
【従来の技術】
図７はテントの設営例を示している。このテント１は、不図示の芯材で所定大の多角形に形状出しされ、各角縁に沿って付設された引紐２が地面側に張設されることにより使用状態に保たれる。引紐２は、自由端である一端２ａ側が地面に係止したアンカー材３（これがないときは近くにある木や岩等）に掛止めされて、テント１を所定テンションを持って保持する。このような、引紐２の掛止め態様では、引紐２の任意位置に取り付けられ、該紐２の一端２ａを固定することにより、紐２への取付部と一端２ａとの間に掛止め用紐ループ部２ｂを形成可能にする留め具が使用される。
【０００３】
図８は前記留め具の従来例を示している。この留め具５０は、樹脂又は金属製の細長い板体からなり、引紐２の一端２ａを上下に挿通する３個の孔５１、５２，５３を有している。上側の孔５１と中間の孔５２は留め具５０を引紐２に取り付ける貫通孔であり、下側の孔５３は一端２ａを固定する取付孔である。即ち、この構造において、一端２ａは、図８の想像線で示す如く貫通孔５１に上下面の下から上へ挿通され、更に貫通孔５２に上から下へ挿通して大きく引き出された後、取付孔５３に下から上へ挿通されて抜け止め用結び目２ｃが形成される。これにより、留め具５０は、貫通孔５１，５２に挿入されたり引き出されて方向を変える際に孔縁に係止されて紐２の任意位置に取り付けられ、又、貫通孔５２と取付孔５３との間にある紐部分の引出量、つまり紐ループ部２ｂの大きさを可変することで紐２の実質的な長さを調整可能にするものである。
【０００４】
【発明が解決しようとする課題】
上記したような留め具５０にあっては、特に紐２への係止力に優れると共にワンタッチ操作できることが要求される。ところが、従来留め具５０は次のような問題がある。即ち、この構造では、留め具５０が紐２を貫通孔５１から貫通孔５２へ挿通した状態で紐２に取り付けられるが、孔径を大きくすると紐２に対する係止力が不足し、孔径を小さくすると一端２ａを挿通し難くなる。材質的には、樹脂製の場合は貫通孔５１，５２が摩耗して取付状態でずれ易くなり、金属製の場合は摩耗しないが紐２を傷つけ易くなる。また、留め具５０が紐２に一旦取り付けられた後、例えば、紐ループ部２ｂの引出量を可変して紐２の実質的な長さを短くしたり長くすること（これを再調整操作と称する）も多く、その場合に紐２を引っ張りながら小孔径の貫通孔５１から貫通孔５２へ動かさなくてはならず操作性が悪い。
【０００５】
本発明は以上のような課題を解消することを目的としている。具体的には、紐への係止力を増大すると同時に取付操作を多少なりとも良好にし、しかも前記した再調整操作も簡単に行える紐用留め具を実現することにある。他の目的は、以下に説明する内容の中で明らかにする。
【０００６】
【課題を解決するための手段】
上記目的を達成するため本発明は、図１〜図６に例示される如く、テント設営等に使用される紐２の一端２ａを固定する固定部１２を形成しているベース１０と、前記ベース１０に基端２１を回動可能に連結されるストッパー２０とからなり、前記紐２の任意位置に取り付けられ、該紐２の一端２ａを前記固定部１２に固定することにより、該紐２への取付部と紐２の一端２ａとの間に紐ループ部２ｂを形成可能な留め具４において、前記ストッパー２０は、前記紐２の一端２ａを上下面の一方から他方へ挿通する貫通孔２３を有していると共に、該貫通孔２３に挿通されて上下面の他方に引き出された紐２の一端２ａを更に上下面の他方より一方へ前記基端付近から引き出した状態で、前記ベース１０に対し回動されることにより、該紐２の対応部分を前記基端２１とベース１０との間で挟持して紐２へ取付可能にし、前記ベース及び前記ストッパーは、前記紐の対応部分を前記基端とベースの間に挟持した状態で前記紐に沿って略直線状に配置される、ことを特徴としている。
【０００７】
以上の留め具４は、例えば、図７の如くテント設営用の紐２をアンカー３側へ係止するとき等に用いられる。使用要領は、紐２の一端２ａを貫通孔２３の一方から他方へ挿通し、ストッパー２０の基端２１付近から一方へ引き出した後、ストッパー２０を回動操作すると、紐２の対応部が基端２１とベース１０との間に挟持され、留め具４が紐２の適位置に取り付けられる。一端２ａはベース１０の固定部１２に従来と同様に固定される。すると、紐２の全長は留め具４と固定部１２の間の引出量、つまり紐ループ部２ｂの大きさに応じた長さになっており、前記アンカー３等へ掛止め可能となる。再調整操作では、例えば、留め具４よりも手前の紐部分を引っ張った状態で、ストッパー２０を前記の回動方向と反対側へ回動して前記挟持状態を解放した後、紐ループ部２ｂの大きさを可変して再び挟持方向へ回動操作する。この構造特徴は、留め具４を紐２に沿って取り付けることを前提とし、紐２に対する取付操作性を良好にし、該取付操作性を維持して係止力を増大可能にできる点にある。即ち、この構造では、一端２ａがストッパー２０側の貫通孔２３から基端２１へ引き出されると共にベース１０側の固定部１２に固定されるため、取付状態では留め具４が従来と同じく紐２に沿って配置される。この構造では、紐２への係止力が基端２１（とベース１０との間）の挟持力に比例するため、貫通孔２３の孔径を大きくして一端２ａの挿通性を確保したり、回動というワンタッチ操作で紐２へ取り付けることができる。再調整操作は、従来の如く紐対応部分を孔径の小さな貫通孔から貫通孔へ動かすのに比べ、操作性に優れたストッパー２０の回動にて行える。また、ベース１０及びストッパー２０は紐２の対応部分を前記基端２１とベース１０の間に挟持した状態で紐２に沿って略直線状に配置されることから、使用状態における見栄え等を維持できるようにする。
【０００８】
以上の本発明は次のように具体化されることがより好ましい。
・第１に、前記ベース１０は、紐２の一端２ａを上下方向に挿通して抜け止め可能にする取付孔１２により前記固定部を形成していると共に、前記ストッパー１０の回動範囲を規制する規制部１７を有している構成である。取付孔１２の点は、従来と同じく専用固定部材を用いなくても、一端２ａに結び目２ｃを形成して抜け止め可能にする。規制部１７の点は、前記挟持状態をより安定維持可能にしたり、回動範囲を規制して使い勝手を向上できるようにする。
・第２に、前記ストッパー２０の基端２１は紐喰い付き用係止爪２６を有し、前記ベース１０は前記基端２１に対応した略コ形の取付部１１を有し、該取付部１１が前記基端２１をコ形の両壁部１５，１５に回動可能に枢支すると共に、コ形内の段差底面１７に紐２の一端２ａを挿通する通し孔１８を形成している構成である。これは、上記した挟持力を係止爪２６により所望の大きさに設定でき、又、段差底面１７及び通し孔１８の存在により基端２１に対する挟持部１６を確保したり、後述する規制部１７を確保し易くできる点に意義がある。
・第３に、前記ベース１０の規制部１７は、前記コ形内の段差底面１７の一部を利用して片状に形成されていると共に、前記通し孔１８の手前に位置している構成である。これは、規制部１７の剛性（小突起等よりも強いこと）を確保すると共に、通し孔１８の付近に配置される前記した係止爪２６を当ててストッパー２０の回動を規制できるようにする。
【０００９】
【発明の実施の形態】
以下、本発明の実施形態を図面に基づいて説明する。図１乃至図６は本発明形態の紐用留め具を示している。このうち、図１は留め具の使用例を示し、同（ａ）は紐への組み込み等を説明するための図、同（ｂ）は使用状態を説明するための図である。図２は留め具の外観図である。図３は留め具の細部を示し、同（ａ）は上面図、同（ｂ）は下面図、同（ｃ）は側面図、同（ｄ）は左端面図、同（ｅ）は右端面図である。図４（ａ）と（ｂ）は図３（ａ）のＡ−Ａ線とＢ−Ｂ線に沿って断面した図である。図５はベース単品図であり、同（ａ）は上面図、同（ｂ）は（ａ）のＣ−Ｃ線に沿って断面した図である。図６はストッパー単品図であり、同（ａ）は上面図、同（ｂ）は側面図である。
【００１０】
（構造例）図の留め具４は、ベース１０及びストッパー２０の２部品からなり、ストッパー２０がベース１０に対し所定角だけ回動可能に組み付けられている。ベース１０及びストッパー２０は、共に樹脂成形品からなっているが、他の材質であっても差し支えない。全体の大きさは作図上拡大しているが、例えば、留め具４が図７の３〜５人用テント１の設営用に用いられる場合、全寸が２０〜５０ｍｍ、厚さが３〜６ｍｍ程度の小さなものである。
【００１１】
ベース１０は、図３と図５に示される如く略舌状をなし、一端側に設けられてストッパー２０と連結される取付部１１と、他端側の円弧中心部に設けられて上下貫通した取付孔１２とを有している。取付孔１２は、他端と間隔を保って設けられており、孔径が紐２の径よりも大きく、紐２の一端２ａが下面側から上面側へスムースに挿通される。上面側にあって、取付孔１２を中心とする箇所には小突起１４が複数設けられると共に、他端から取付孔１１に向かって横溝１３が形成されている。この横溝１３は、図１の如く一端２ａに形成される抜け止め用結び目２ｃを受け入れて外観を維持できるようにする。取付部１１は、一端側にあって、中間部を上から下に欠肉した略コ形に設けられており、コ形の両片部に相当する両側の壁部１５と、コ形の中間片部に相当する挟持部１６と、コ形の内下側にある通し孔１８付き段差底面１７とで区画形成されている。両壁部１５の間は、後述するストッパー２０の基端２１に対応した幅寸法となっている。各壁部１５には、同軸線上に貫通形成された軸孔１５ａと、上面から軸孔１５ａの近くまで欠肉したテーパー状のガイド部１５ｂとが設けられている。挟持部１６は、図５の如く下に行くほど一端側へ傾斜した傾斜面に形成されると共に、下側が段差底面１７に設けられた通し孔１８の対応部と面一になっている。即ち、段差底面１７は、本発明の規制部となる箇所であり、前記コ形内の前側に相当する部分を欠如し、かつ挟持部１６側を上下に貫通した通し孔１８により欠如して、細長い片状に形成されている。なお、挟持部１６は、下面側から逆凹状に欠肉された空洞部１９により若干弾性変形されるようになっている。
【００１２】
ストッパー２０は、図３と図６に示される如くベース１０より薄肉の片状をなし、基端２１側が前記した取付部１１のコ形内に収まり、先端２２側が円弧状に形成されていると共に、前後の略中間に貫通孔２３を有している。また、上面側の周囲部は一段高く形成されていると共に、基端２１はその一段高くなった縁部２４の間にあって縁部２４の後端より少し先端側へ落ち込んだ状態に設けられている。基端２１は、両側に位置して対応縁部２４から突設されて軸孔１５ａと嵌合される軸部２５と、両軸部２５を結ぶ軸線より後方へ突出形成されている係止爪２６とを有している。係止爪２６は、図４（ａ）の如く上側の円弧部２６ａ及び下側の傾斜部２６ｂにより形成されている。円弧部２６ａと傾斜部２６ｂとの接続部は鋭角となっている。そして、後述する如くストッパー２０が軸部２５と軸孔１５ａの嵌合を介し連結された状態において、傾斜部２６ｂは規制部である段差底面１７に当接されストッパー２０の下方向への回動を規制し、円弧部２６ａと傾斜部２６ｂとの接続部（突出部）が挟持部１６に最も近づくストッパー２０の紐ロック位置となる。ストッパー２０は、そのロック位置から図１（ａ）の如く反時計回り方向へ回動されると、係止爪２６の突出部が挟持部１６から大きく離れ、通し孔１８の全体が露出される。なお、符号２７は先端２２側の上面に設けられた複数の滑り止め用の小突起である。
【００１３】
以上のストッパー２０は、両側の軸部２５が対応するガイド部１５ｂに押し込められると、壁部１５を弾性変位しながら軸孔１５に嵌合され、ベース１０に対し所定角だけ回動可能に連結される。この構造では、ストッパー２０が軸部２５を支点として図１（ａ）の如く通し孔１８を完全に開口する係止解除位置から、図１（ｂ）の通し孔１８の一部を係止爪２６の突出部で覆う係止位置との間で概略４５度だけ回動される。係止解除位置では、ストッパー２０の下面が規制部である段差底面１７の端面に当たることにより位置規制される。係止位置では、傾斜部２６ｂの最下面部が規制部である段差端面１７の端面と内面との角部に当たることにより位置規制される。
【００１４】
（使用例）図１は以上の留め具４が図７のＤ部に適用した場合を想定した断面図である。留め具４は、図１（ａ）の如く紐２の一端２ａを貫通孔２３に下から上面側へ挿通し、基端２１に露出されている通し孔１８に挿通して大きく引き出した後、今度は取付孔１２に下から上へ引き出すと共に結び目２ｃを作り、取付孔１２と通し孔１８との間の紐ループ部２ｂの長さを調整して、ストッパー２０を係止解除位置から図１（ｂ）の係止位置へ回動することにより紐２の敵位置に取り付けられる。紐ループ部２ｂは、係止爪２６の紐２への喰い付き作用と結び目２ｃの抜け止め作用とにより大きさが決められると共に、紐２を所定長さに確定する。この構造では、紐２が通し孔１８に入れられた状態で、係止爪２６が挟持部１６との間に紐２の対応部分を挟み込む。その狭持力は、挟持部１６が下向きに張り出した傾斜面となっていて係止爪２６との間に紐２を楔作用により狭持すること、挟持部１６が空洞部１９の存在により若干弾性変位しそのときの反発力が得られること等により、紐２に対する係止力としては強大なものとなっている。
なお、紐２は、留め具４で形成された紐ループ部２ｂが図７のアンカー３等に掛と止められることにより所定のテンションでテント１を保持する。上記した再調整操作では、例えば、留め具４よりも上側にある紐２の部分を引っ張った状態で、ストッパー２０を係止位置から係止解除位置へ回動して、前記挟持状態を解放した後、紐２を紐ループ部２ｂ側へ引っ張ったり留め具４の上側へ引っ張って紐ループ部２ｂの大きさを可変調整してストッパー２０を再び係止位置方向へ回動操作する。この可変調整では、ストッパー２０が回動操作されることと、貫通孔２３の孔径を大きくして紐２が引っ張り方向へ容易に動かされることから、ワンタッチ操作が可能となる。
【００１５】
なお、本発明の留め具４は、請求項１で特定される構成要素を備えておればよく、ベース１０及びストッパー２０の形状や大きさ等についてはこれを参考にして種々変形することができるものである。また、用途及び使用態様としては図７のテント設営用の紐２に限られずどんな紐であっても同様に適用でき、又、紐は１本だけで構成される以外に二重（２本）にして用いても差し支えない。
【００１６】
【発明の効果】
以上説明した通り、本発明の紐用留め具にあっては、ストッパーをベースに対し回動して紐の対応部分をストッパー基端とベースとの間で挟持するため紐への係止力を増大できると共に、紐へ組み込んで取り付ける取付操作及び再調整操作をワンタッチで行うことができ、それにより、従来構造に対し使い勝手及び商品価値を向上できる。
【図面の簡単な説明】
【図１】本発明形態例の留め具を使用状態で示す作用断面図である。
【図２】上記留め具の概略外観図である。
【図３】上記留め具の細部を示す図である。
【図４】上記留め具の断面図である。
【図５】上記留め具のベース単品を示す図である。
【図６】上記留め具のストッパー単品を示す図である。
【図７】本発明対象の留め具の使用例を示す模式図である。
【図８】図７のＤ部に用いられている従来の留め具を示す図である。
【符号の説明】
４は留め具
１０はベース
１１は取付部
１２は取付孔（固定部）
１５は両壁部
１６は挟持部
１７は段差底面（規制部）
１８は通し孔
２０はストッパー
２１は基端
２２は先端
２３は貫通孔
２６は係止爪
２は紐
２ａは紐の一端
２ｂは紐ループ部
２ｃは結び目
【図１】
0004598304.tif 000002
【図２】
0004598304.tif 000003
【図３】
0004598304.tif 000004
【図４】
0004598304.tif 000005
【図５】
0004598304.tif 000006
【図６】
0004598304.tif 000007
【図７】
0004598304.tif 000008
【図８】
0004598304.tif 000009